(57)【要約】      （修正有）【課題】使い勝手が良い刳り貫き器具を提供する。【解決手段】接続部（２）と、接続部（２）に接続するアーム部（３）と、アーム部（３）から接続している作用部（４）とを備える刳り貫き器具。【選択図】図１
2019141334.tif 000002
【特許請求の範囲】
【請求項１】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有している
ことを特徴とする刳り貫き器具。
【請求項２】
請求項１に記載の刳り貫き器具（１）であって、
前記アーム部（３）は、対峙する前記スコップ部（６）が合わさる方向に可動する
ことを特徴とする刳り貫き器具。
【請求項３】
請求項１または２に記載の刳り貫き器具（１）であって、
対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしている
ことを特徴とする刳り貫き器具。
【請求項４】
請求項３に記載の刳り貫き器具（１）であって、
対峙する前記スコップ部（６）の端部は、当接部（１０）を備え、
前記当接部（１０）は互いに向き合い、前記掬い部（９）が前記刳り貫き対象物を掬う際に、前記当接部（１０）の少なくとも一部が互いに当接する
ことを特徴とする刳り貫き器具。
【請求項５】
請求項４に記載の刳り貫き器具（１）であって、
前記当接部（１０）には、刃（１１）が設けられている
ことを特徴とする刳り貫き器具。
【請求項６】
請求項４または５に記載の刳り貫き器具（１）であって、
前記アーム部（３）は、前記刳り貫き器具（１）を把持する使用者の指を掛けるための指掛け部（５）を備える
ことを特徴とする刳り貫き器具。
【請求項７】
請求項４または５に記載の刳り貫き器具（１）であって、
前記接続部（２）は、前記アーム部（３）が延びる方向と反対側に握り部（１７）を有する
ことを特徴とする刳り貫き器具。
【請求項８】
請求項６または７に記載の刳り貫き器具（１）であって、
前記指掛け部（５）は、前記接続部（２）から前記作用部（４）に至る間に設けられた段差により形成されている
ことを特徴とする刳り貫き器具。
【請求項９】
請求項４または５に記載の刳り貫き器具（１）であって、
前記作用部（４）の細くなっている先端に突き刺し部（１２）を有する
ことを特徴とする刳り貫き器具。
【請求項１０】
請求項４〜９のいずれか一項に記載の刳り貫き器具（１）であって、
複数の前記作用部（４）は、それぞれ大きさが異なる
ことを特徴とする刳り貫き器具。
【請求項１１】
請求項８に記載の刳り貫き器具（１）であって、
前記指掛け部（５）の前記段差は、曲線で形成され、前記接続部（２）から延びる前記アーム部（３）の一部が内側に凹んだ部分（２０）と、外側に向かって突出した部分（２１）とを有する
ことを特徴とする刳り貫き器具。
【請求項１２】
請求項１１に記載の刳り貫き器具（１）であって、
前記指掛け部（５）の段差は、前記接続部側に内側に凹んだ部分（２０）を有し、前記作用部側に外側に向かって突出した部分（２１）を有する
ことを特徴とする刳り貫き器具。
【請求項１３】
請求項１１に記載の刳り貫き器具（１）であって、
前記内側に凹んだ部分（２０）の底部を第一の支点（２２）、前記外側に突出した部分の頂点を第二の支点（２３）とし、前記第一の支点（２２）と前記第二の支点（２３）を結んだ直線（２４）と、前記接続部（２）の中点と前記当接部（１０）が当接している時の当接面とを繋いだ線（２５）のなす角θ１が、３０度〜５０度である
ことを特徴とする刳り貫き器具。
【請求項１４】
請求項４〜１０のいずれか一項に記載の刳り貫き器具（１）であって、
対峙した前記スコップ部（６）を刳り貫き対象物に押し付けたときに前記掬い部（９）で囲った前記刳り貫き対象物を、前記作用部（４）を回転させることで砕くための、砕き部（１３）を有する
ことを特徴とする刳り貫き器具。
【請求項１５】
請求項１４に記載の刳り貫き器具（１）であって、
前記砕き部（１３）は、前記当接部（１０）の一部が、前記掬い部（９）が狭くなるよう前記掬い部（９）の中心に向かって傾いている
ことを特徴とする刳り貫き器具。
【請求項１６】
請求項１４に記載の刳り貫き器具（１）であって、
前記砕き部（１３）は、前記当接部（１０）の一部であって前記アーム部側の端部が、前記掬い部（９）とは反対側に折れ曲がっている
ことを特徴とする刳り貫き器具。
【請求項１７】
請求項１４に記載の刳り貫き器具（１）であって、
前記砕き部（１３）は、複数の前記当接部（１０）のいずれか一つに、他の前記当接部（１０）に当接する方向に突出部（１４）を備えた
ことを特徴とする刳り貫き器具。
【請求項１８】
請求項１４に記載の刳り貫き器具（１）であって、
前記砕き部（１３）は、複数の前記当接部（１０）のいずれか一つに、切欠き部（１５）を備えた
ことを特徴とする刳り貫き器具。
【請求項１９】
請求項１４に記載の刳り貫き器具（１）であって、
複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさる
ことを特徴とする刳り貫き器具。
【請求項２０】
請求項９に記載の刳り貫き器具（１）であって、
前記突き刺し部（１２）は、複数の溝（１６）を有している
ことを特徴とする刳り貫き器具。
【請求項２１】
請求項９に記載の刳り貫き器具（１）であって、
複数の前記スコップ部（６）は、いずれか一つの前記突き刺し部（１２）が複数の溝（１６）を有している
ことを特徴とする刳り貫き器具。
【請求項２２】
請求項１４に記載の刳り貫き器具（１）であって、
前記スコップ部（６）は、前記砕き部（１３）として前記アーム部側の端部に前記当接部（１０）と垂直な方向に突出部（１４）を有する
ことを特徴とする刳り貫き器具。
【請求項２３】
請求項６に記載の刳り貫き器具（１）であって、
前記指掛け部（５）は、使用者の指を挿入するための開口部（１８）を有する
ことを特徴とする刳り貫き器具。
【請求項２４】
請求項１１に記載の刳り貫き器具（１）であって、
前記指掛け部（５）の前記内側に凹んだ部分（２０）は、Ｕ字状に凹んでおり、前記外側に向かって突出した部分（２１）は、鋭角に曲がっている
ことを特徴とする刳り貫き器具。
【請求項２５】
請求項６に記載の刳り貫き器具（１）であって、
前記指掛け部（５）は、前記当接部（１０）とほぼ平行な方向であって、前記接続部（２）から前記作用部（４）に向かう方向と垂直な方向に凸部（１９）を有する
ことを特徴とする刳り貫き器具。
【請求項２６】
請求項３に記載の前記作用部（４）を有することを特徴とする芽取り具。
【請求項２７】
請求項３に記載の前記作用部（４）を有することを特徴とする蔕取り具。
【請求項２８】
請求項３に記載の前記作用部（４）を有することを特徴とする草取り具。
【発明の詳細な説明】
【技術分野】
【０００１】
本発明は、野菜の芽や蔕、草を取る刳り貫き器具に関する。
【背景技術】
【０００２】
特許文献１には、いちごのへた取り具が記載されている。
【先行技術文献】
【特許文献】
【０００３】
【特許文献１】特開２０１５−２３１４８１号公報
【発明の概要】
【発明が解決しようとする課題】
【０００４】
匙状のへた取り具では、へた取り具を持った手と反対の手で果物等を掴んで支える必要があるが、果物等が柔らかい場合、果物等を掴む手に力が入りすぎると果物等がつぶれてしまう恐れがある。また、果物等が固い場合には、へた取り具を持つ手に力が入り、匙の先端が滑って手を傷つける恐れもあり、使い勝手が良いとはいえなかった。
【０００５】
そこで、本発明では、上記事情に鑑み、使い勝手が良い刳り貫き器具を提供することを目的とする。
【課題を解決するための手段】
【０００６】
本発明の一態様に係る刳り貫き器具は、接続部（２）と、前記接続部（２）に接続するアーム部（３）と、前記アーム部（３）から接続している作用部（４）とを備える。
【０００７】
前記作用部（４）は、対峙するスコップ部（６）を備え、前記スコップ部（６）は、内側に湾曲している凹曲部（７）で形成され、前記凹曲部の外周は前記作用部（４）の先端側に向かうにつれて細くなるように傾斜する外周傾斜部（８）を有していてもよい。
【０００８】
前記アーム部（３）は、対峙する前記スコップ部（６）が合わさる方向に可動するものであってもよい。
【０００９】
対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしていてもよい。
【００１０】
対峙する前記スコップ部（６）の端部は、当接部（１０）を備え、前記当接部（１０）は互いに向き合い、前記掬い部（９）が前記刳り貫き対象物を掬う際に、前記当接部（１０）の少なくとも一部が互いに当接するようになっていてもよい。
【００１１】
前記当接部（１０）には、刃（１１）が設けられていてもよい。
【００１２】
前記アーム部（３）は、前記刳り貫き器具（１）を把持する使用者の指を掛けるための指掛け部（５）を備えていてもよい。
【００１３】
前記接続部（２）は、前記アーム部（３）が延びる方向と反対側に握り部（１７）を有していてもよい。
【００１４】
前記指掛け部（５）は、前記接続部（２）から前記作用部（４）に至る間に設けられた段差により形成されていてもよい。
【００１５】
前記作用部（４）の細くなっている先端に突き刺し部（１２）を有していてもよい。
【００１６】
複数の前記作用部（４）は、それぞれ大きさが異なっていてもよい。
【００１７】
前記指掛け部（５）の前記段差は、曲線で形成され、前記接続部（２）から延びる前記アーム部（３）の一部が内側に凹んだ部分（２０）と、外側に向かって突出した部分（２１）とを有していてもよい。
【００１８】
前記指掛け部（５）の段差は、前記接続部側に内側に凹んだ部分（２０）を有し、前記作用部側に外側に向かって突出した部分（２１）を有するものであってもよい。
【００１９】
前記内側に凹んだ部分（２０）の底部を第一の支点（２２）、前記外側に突出した部分の頂点を第二の支点（２３）とし、前記第一の支点（２２）と前記第二の支点（２３）を結んだ直線（２４）と、前記接続部（２）の中点と前記当接部（１０）が当接している時の当接面とを繋いだ線（２５）のなす角θ１が、３０度〜５０度であってもよい。
【００２０】
対峙した前記スコップ部（６）を刳り貫き対象物に押し付けたときに前記掬い部（９）で囲った前記刳り貫き対象物を、前記作用部（４）を回転させることで砕くための、砕き部（１３）を有していてもよい。
【００２１】
前記砕き部（１３）は、前記当接部（１０）の一部が、前記掬い部（９）が狭くなるよう前記掬い部（９）の中心に向かって傾いていてもよい。
【００２２】
前記砕き部（１３）は、前記当接部（１０）の一部であって前記アーム部側の端部が、前記掬い部（９）とは反対側に折れ曲がっていてもよい。
【００２３】
前記砕き部（１３）は、複数の前記当接部（１０）のいずれか一つに、他の前記当接部（１０）に当接する方向に突出部（１４）を備えていてもよい。
【００２４】
前記砕き部（１３）は、複数の前記当接部（１０）のいずれか一つに、切欠き部（１５）を備えていてもよい。
【００２５】
複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさるものであってもよい。
【００２６】
前記突き刺し部（１２）は、複数の溝（１６）を有していてもよい。
【００２７】
複数の前記スコップ部（６）は、いずれか一つの前記突き刺し部（１２）が複数の溝（１６）を有していてもよい。
【００２８】
前記スコップ部（６）は、前記砕き部（１３）として前記アーム部側の端部に前記当接部（１０）と垂直な方向に突出部（１４）を有していてもよい。
【００２９】
前記指掛け部（５）は、使用者の指を挿入するための開口部（１８）を有していてもよい。
【００３０】
前記指掛け部（５）の前記内側に凹んだ部分（２０）は、Ｕ字状に凹んでおり、前記外側に向かって突出した部分（２１）は、鋭角に曲がっているものであってもよい。
【００３１】
前記指掛け部（５）は、前記当接部（１０）とほぼ平行な方向であって、前記接続部（２）から前記作用部（４）に向かう方向と垂直な方向に凸部（１９）を有していてもよい。
【００３２】
本発明による刳り貫き器具は、芽取り具であって、前記作用部（４）を有している。
【００３３】
本発明による刳り貫き器具は、蔕取り具であって、前記作用部（４）を有している。
【００３４】
本発明による刳り貫き器具は、草取り具であって、前記作用部（４）を有している。
【発明の効果】
【００３５】
本発明によれば、使い勝手が良い刳り貫き器具を提供することができる。
【図面の簡単な説明】
【００３６】
【図１】本実施形態に係る刳り貫き器具の平面図である。
【図２】本実施形態に係る刳り貫き器具の平面図、平面断面図、左側面図、右側面図およびＡ−Ａ断面図である。
【図３】本実施形態に係る刳り貫き器具の原理を説明する図である。
【図４】本実施形態に係る刳り貫き器具の部分拡大図である。
【図５】本実施形態に係る刳り貫き器具の部分拡大図である。
【図６】本実施形態に係る刳り貫き器具の使用状態を示す図である。
【図７】本実施形態に係る刳り貫き器具の使用状態を示す図である。
【図８】本実施形態の変形例１に係る刳り貫き器具の斜視図である。
【図９】本実施形態の変形例２に係る刳り貫き器具の部分拡大図である。
【図１０】本実施形態の変形例３に係る刳り貫き器具の斜視図および使用状態を示す図である。
【図１１】本実施形態の変形例４に係る刳り貫き器具の斜視図である。
【図１２】本実施形態の変形例４に係る刳り貫き器具の斜視図である。
【発明を実施するための形態】
【００３７】
本願発明の実施形態の例について、以下、図に基づいて説明する。なお、下記実施形態において共通する構成要素については、同一の符号を振るなどして説明を省略することがある。
【００３８】
図１は本実施形態に係る刳り貫き器具の平面図である。図２は、本実施形態に係る刳り貫き器具の平面図、平面断面図、左側面図、右側面図およびＡ−Ａ断面図である。
【００３９】
図１および図２に示すように、本実施形態の刳り貫き器具（１）は、接続部（２）と、前記接続部（２）に接続するアーム部（３）と、前記アーム部（３）から接続している作用部（４）と、を備える。
【００４０】
前記アーム部（３）は、前記刳り貫き器具（１）を把持する使用者の指を掛けるための指掛け部（５）を備える。
【００４１】
また、前記アーム部（３）は、後述する対峙する前記スコップ部（６）が合わさる方向に可動する。
【００４２】
刳り貫き器具（１）は、樹脂または金属で形成されている。接続部（２）は、湾曲しており、弾性を有している。刳り貫き器具（１）は、無負荷状態で開いている。そのため、刳り貫き器具（１）は、使用者が指掛け部（５）に指を掛けて力を加えると作用部（４）が閉じ、力を抜くと開くようになっている。
【００４３】
図３は、本実施形態に係る刳り貫き器具の原理を説明する図である。
図３に示すように、前記指掛け部（５）は、前記接続部（２）から前記作用部（４）に至る間に設けられた段差により形成されている。
【００４４】
前記指掛け部（５）の前記段差は、曲線で形成され、前記接続部（２）から延びる前記アーム部（３）の一部が内側に凹んだ部分（２０）と、外側に向かって突出した部分（２１）とを有している。
【００４５】
前記指掛け部（５）の段差は、前記接続部側に内側に凹んだ部分（２０）を有し、前記作用部側に外側に向かって突出した部分（２１）を有している。
【００４６】
前記内側に凹んだ部分（２０）の底部を第一の支点（２２）、前記外側に突出した部分の頂点を第二の支点（２３）とし、前記第一の支点（２２）と前記第二の支点（２３）を結んだ直線（２４）と、前記接続部（２）の中点と前記当接部（１０）が当接している時の当接面とを繋いだ線（２５）のなす角θ１は、３０度〜５０度である。
【００４７】
刳り貫き器具（１）は、接続部（２）の中心を支点とし、指掛け部（５）を力点、作用部（４）を作用点とした、第三種のてこの原理を利用している。
【００４８】
力点に対し下に押し付ける力ｗ１を掛けると、支点を中心として内側に回転する力ｗ２が働く。また、作用部（４）のスコップ部（６）に設けられた後述する突き刺し部（１２）が刳り貫き対象物に当たると反発力を受ける。同時に、スコップ部（６）から突き刺し部（１２）に向かって、スコップ部の側面に沿って動こうとする力ｗ３が働く。このｗ２、ｗ３の力が相まって、突き刺し部（１２）が刳り貫き対象物に刺さりながら内向きに働き、スコップ部（６）が徐々に合わさるように閉じてくる。
【００４９】
上述した力の働きにより、刳り貫き器具（１）は、刳り貫き対象物の一部を刳り貫くことができる。
【００５０】
図４および図５は、本実施形態に係る刳り貫き器具の部分拡大図である。図４および図５は、作用部（４）、及び、作用部（４）が備えるスコップ部（６）の部分を拡大した平面図である。
【００５１】
図４および図５に示すように、前記作用部（４）は、対峙するスコップ部（６）を備え、前記スコップ部（６）は、内側に湾曲している凹曲部（７）で形成され、前記凹曲部の外周は前記作用部（４）の先端側に向かうにつれて細くなるように傾斜する外周傾斜部（８）を有している。
【００５２】
また、図５に示すように、対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしている。
【００５３】
さらに、対峙する前記スコップ部（６）の端部は、当接部（１０）を備え、前記当接部（１０）は互いに向き合い、図５（ａ）に示すように、前記掬い部（９）が前記刳り貫き対象物を掬う際に、前記当接部（１０）の少なくとも一部が互いに当接する。
【００５４】
前記当接部（１０）には、刃（１１）が設けられている。
【００５５】
前記作用部（４）の細くなっている先端に突き刺し部（１２）を有している。
【００５６】
複数の前記作用部（４）は、それぞれ大きさが異なるものであってもよい。
【００５７】
図６および図７は、本実施形態に係る刳り貫き器具の使用状態を示す図である。
【００５８】
図６に示すように、刳り貫き器具（１）の指掛け部（５）に指を当て、例えば、じゃがいもの芽の周囲に突き刺し部（１２）を刺して押し込む。押し込まれるにつれて、作用部（４）の当接部（１０）が他の作用部（４）の当接部（１０）に近づいていき、当接する。また、押し込まれるにつれて、スコップ部（６）が、じゃがいもの芽の周辺を削り取る。そして、当接部（１０）が当接すると、じゃがいもの芽の周辺が分離され、刳り貫き器具（１）をじゃがいもから引き抜くと、掬い部（９）にじゃがいもの芽が納まり、簡易にじゃがいもの芽を取り除くことができる。
【００５９】
図７に示すように、例えば、草の場合には、根が地中に広がっており、刳り貫き器具（１）を突き刺すだけでは全ての根を分離することが難しい。そこで、突き刺し部（１２）を突き刺して刳り貫き器具（１）を押し込み、当接部（１０）が他の当接部（１０）に近づいたら、指掛け部（５）に当てている指を左あるいは右周りに捻ると、作用部（４）が回転し、根を分離することができる。そして、刳り貫き器具（１）を地中から引き抜けば、掬い部（９）に草が納まり、簡便に草を抜くことができる。
【００６０】
図２（ｅ）および図８は、本実施形態の変形例１に係る刳り貫き器具の斜視図である。
【００６１】
図２（ｅ）および図８に示すように、対峙した前記スコップ部（６）を刳り貫き対象物に押し付けたときに前記掬い部（９）で囲った前記刳り貫き対象物を、前記作用部（４）を回転させることで砕くための、砕き部（１３）を有している。
【００６２】
図２（ｅ）に示すように、前記砕き部（１３）は、前記当接部（１０）の一部が、前記掬い部（９）が狭くなるよう前記掬い部（９）の中心に向かって傾いている。
【００６３】
図８（ａ）に示すように、前記砕き部（１３）は、前記当接部（１０）の一部であって前記アーム部側の端部が、前記掬い部（９）とは反対側に折れ曲がっている。
【００６４】
図８（ｂ）に示すように、前記砕き部（１３）は、複数の前記当接部（１０）のいずれか一つに、他の前記当接部（１０）に当接する方向に突出部（１４）を備えている。
【００６５】
図８（ｃ）に示すように、前記砕き部（１３）は、複数の前記当接部（１０）のいずれか一つに、切欠き部（１５）を備えている。
【００６６】
また、複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさるようにしてもよい。
【００６７】
図９は、本実施形態の変形例２に係る刳り貫き器具の部分拡大図である。図９は、作用部（４）が備えるスコップ部（６）の部分を拡大した斜視図である。
【００６８】
図９（ａ）に示すように、前記突き刺し部（１２）は、複数の溝（１６）を有している。
【００６９】
図９（ｂ）に示すように、複数の前記スコップ部（６）は、いずれか一つの前記突き刺し部（１２）が複数の溝（１６）を有している。
【００７０】
図９（ｂ）に示すように、前記スコップ部（６）は、前記砕き部（１３）として前記アーム部側の端部に前記当接部（１０）と垂直な方向に突出部（１４）を有している。
【００７１】
図１０は、本実施形態の変形例３に係る刳り貫き器具の斜視図および使用状態を示す図である。
【００７２】
図１０（ａ）に示すように、前記指掛け部（５）は、使用者の指を挿入するための開口部（１８）を有する。図１０（ｂ）に示すように、刳り貫き器具（１）は、開口部（１８）に指を入れて使用する。
【００７３】
図１０（ｃ）に示すように、前記指掛け部（５）の前記内側に凹んだ部分（２０）は、Ｕ字状に凹んでおり、前記外側に向かって突出した部分（２１）は、鋭角に曲がっている。
【００７４】
図１０（ｄ）に示すように、前記指掛け部（５）は、前記当接部（１０）とほぼ平行な方向であって、前記接続部（２）から前記作用部（４）に向かう方向と垂直な方向に凸部（１９）を有している。
【００７５】
図１１および図１２は、本実施形態の変形例４に係る刳り貫き器具の斜視図である。図１１および１２に示すように、前記接続部（２）は、前記アーム部（３）が延びる方向と反対側に握り部（１７）を有している。
【００７６】
以上、本発明の実施形態を説明したが、上記実施形態に係る刳り貫き器具は、野菜等の芽取り具または蔕取り具として使用することができる。また、草取り具として使用する事ができる。
【００７７】
なお、上記に記載した実施形態は特許請求の範囲に係る発明を限定するものではない。各実施形態は、それぞれの特徴を組み合わせることができる。上述のいずれかの刳り貫き器具が、他の実施形態の特徴を併せ持つものであってもよい。さらに、実施形態の中で説明した特徴の組み合わせの全てが発明の課題を解決するための手段に必須であるとは限らない点に留意すべきである。
【符号の説明】
【００７８】
２：接続部
３：アーム部
４：作用部
５：指掛け部
６：スコップ部
７：凹曲部
８：外周傾斜部
９：掬い部
１０：当接部
１１：刃
１２：突き刺し部
１３：砕き部
１４：突出部
１５：切欠き部
１６：複数の溝
１７：握り部
１８：開口部
１９：凸部
２０：凹んだ部分
２１：突出した部分
２２：第一の支点
２３：第二の支点
２４：直線
２５：繋いだ線
【図１】
2019141334.tif 000003
【図２】
2019141334.tif 000004
【図３】
2019141334.tif 000005
【図４】
2019141334.tif 000006
【図５】
2019141334.tif 000007
【図６】
2019141334.tif 000008
【図７】
2019141334.tif 000009
【図８】
2019141334.tif 000010
【図９】
2019141334.tif 000011
【図１０】
2019141334.tif 000012
【図１１】
2019141334.tif 000013
【図１２】
2019141334.tif 000014
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしており、
対峙する前記スコップ部（６）の端部は、当接部（１０）を備え、
前記当接部（１０）は互いに向き合い、前記掬い部（９）が前記刳り貫き対象物を掬う際に、前記当接部（１０）の少なくとも一部が互いに当接する部分であり、
前記当接部（１０）は、対峙した前記スコップ部（６）を刳り貫き対象物に押し付けたときに前記掬い部（９）で囲った前記刳り貫き対象物を、前記作用部（４）を回転させることで砕くための、砕き部（１３）を有し、
前記当接部（１０）は、前記作用部（４）の先端部分から徐々に広がりながら２方向に延びた略Ｕ字形状をしており、
前記砕き部（１３）は、前記２方向のうち一方の延びた側に設けられ、前記２方向のうち他方に延びた側の形状とは異なる形状をしている
ことを特徴とする刳り貫き器具。
【請求項２】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
前記接続部（２）は、前記アーム部（３）が延びる方向と反対側に握り部（１７）を有する
ことを特徴とする刳り貫き器具。
【請求項３】
請求項１に記載の刳り貫き器具（１）であって、
前記砕き部（１３）は、前記当接部（１０）の一部が、前記掬い部（９）が狭くなるよう前記掬い部（９）の中心に向かって傾いている
ことを特徴とする刳り貫き器具。
【請求項４】
請求項１に記載の刳り貫き器具（１）であって、
前記砕き部（１３）は、前記当接部（１０）の一部であって前記アーム部側の端部が、前記掬い部（９）とは反対側に折れ曲がっている
ことを特徴とする刳り貫き器具。
【請求項５】
請求項１に記載の刳り貫き器具（１）であって、
前記砕き部（１３）は、複数の前記当接部（１０）のいずれか一つに、他の前記当接部（１０）に当接する方向に突出部（１４）を備えた
ことを特徴とする刳り貫き器具。
【請求項６】
請求項１に記載の刳り貫き器具（１）であって、
前記砕き部（１３）は、複数の前記当接部（１０）のいずれか一つに、切欠き部（１５）を備えた
ことを特徴とする刳り貫き器具。
【請求項７】
請求項１に記載の刳り貫き器具（１）であって、
複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさる
ことを特徴とする刳り貫き器具。
【請求項８】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
前記アーム部（３）は、前記刳り貫き器具（１）を把持する使用者の指を掛けるための指掛け部（５）を備え、
前記指掛け部（５）は、使用者の指を挿入するための開口部（１８）を有する
ことを特徴とする刳り貫き器具。
【請求項９】
請求項１に記載の前記作用部（４）を有することを特徴とする芽取り具。
【請求項１０】
請求項１に記載の前記作用部（４）を有することを特徴とする蔕取り具。
【請求項１１】
請求項１に記載の前記作用部（４）を有することを特徴とする草取り具。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしており、
対峙する前記スコップ部（６）の端部は、当接部（１０）を備え、
前記当接部（１０）は互いに向き合い、前記掬い部（９）が前記刳り貫き対象物を掬う際に、前記当接部（１０）の少なくとも一部が互いに当接する部分であり、
前記当接部（１０）は、対峙した前記スコップ部（６）を刳り貫き対象物に押し付けたときに前記掬い部（９）で囲った前記刳り貫き対象物を、前記作用部（４）を回転させることで砕くための、砕き部（１３）を有し、
前記当接部（１０）は、前記作用部（４）の先端部分から徐々に広がりながら２方向に延びた略Ｕ字形状をしており、
前記砕き部（１３）は、前記２方向のうち一方の延びた側に設けられ、前記２方向のうち他方に延びた側の形状とは異なる形状をしている
ことを特徴とする刳り貫き器具。
【請求項２】
接続部（２）と、
前記接続部（２）の両端に接続するアーム部（３）と、
前記アーム部（３）から接続している作用部（４）と、
を備え前記作用部（４）が互いに近づくと前記アーム部（３）も互いに近づく刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
前記接続部（２）には、前記アーム部（３）が延びる方向と反対側に握り部（１７）が接続しており、
前記作用部（４）の先端を前記刳り貫き対象物に押し付けて使用する刳り貫き器具。
【請求項３】
請求項１に記載の刳り貫き器具（１）であって、
前記砕き部（１３）は、前記当接部（１０）の一部が、前記掬い部（９）が狭くなるよう前記掬い部（９）の中心に向かって傾いている
ことを特徴とする刳り貫き器具。
【請求項４】
請求項１に記載の刳り貫き器具（１）であって、
前記砕き部（１３）は、前記当接部（１０）の一部であって前記アーム部側の端部が、前記掬い部（９）とは反対側に折れ曲がっている
ことを特徴とする刳り貫き器具。
【請求項５】
請求項１に記載の刳り貫き器具（１）であって、
前記砕き部（１３）は、複数の前記当接部（１０）のいずれか一つに、他の前記当接部（１０）に当接する方向に突出部（１４）を備えた
ことを特徴とする刳り貫き器具。
【請求項６】
請求項１に記載の刳り貫き器具（１）であって、
前記砕き部（１３）は、複数の前記当接部（１０）のいずれか一つに、切欠き部（１５）を備えた
ことを特徴とする刳り貫き器具。
【請求項７】
請求項１に記載の刳り貫き器具（１）であって、
複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさる
ことを特徴とする刳り貫き器具。
【請求項８】
請求項１に記載の前記作用部（４）を有することを特徴とする芽取り具。
【請求項９】
請求項１に記載の前記作用部（４）を有することを特徴とする蔕取り具。
【請求項１０】
請求項１に記載の前記作用部（４）を有することを特徴とする草取り具。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
接続部（２）と、
前記接続部（２）に接続するアーム部（３）と、
前記アーム部（３）から接続している作用部（４）と、
を備える刳り貫き器具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
対峙する前記スコップ部（６）は、刳り貫き対象物に先端側を押し付け、前記外周傾斜部（８）が前記刳り貫き対象物の内部に移動し、前記刳り貫き対象物を凹曲部（７）で囲うように掬う掬い部（９）をなしており、
対峙する前記スコップ部（６）の端部は、当接部（１０）を備え、
前記当接部（１０）は互いに向き合い、前記掬い部（９）が前記刳り貫き対象物を掬う際に、前記当接部（１０）の少なくとも一部が互いに当接する部分であり、
前記当接部（１０）は、対峙した前記スコップ部（６）を刳り貫き対象物に押し付けたときに前記掬い部（９）で囲った前記刳り貫き対象物を、前記作用部（４）を回転させることで砕くための、砕き部（１３）を有し、
前記当接部（１０）は、前記作用部（４）の先端部分から徐々に広がりながら２方向に延びた略Ｕ字形状をしており、
前記砕き部（１３）は、前記２方向のうち一方の延びた側に設けられ、前記２方向のうち他方に延びた側の形状とは異なる形状をしている
ことを特徴とする刳り貫き器具。
【請求項２】
接続部（２）と、
前記接続部（２）の両端に接続するアーム部（３）と、
前記アーム部（３）から接続している作用部（４）と、
を備え前記作用部（４）が互いに近づくと前記アーム部（３）も互いに近づく草取り具（１）であって、
前記作用部（４）は、対峙するスコップ部（６）を備え、
前記スコップ部（６）は、内側に湾曲している凹曲部（７）で形成され、前記凹曲部の外周は前記作用部（４）の先端側に向かうにつれて細くなるように傾斜する外周傾斜部（８）を有し、
前記接続部（２）には、前記アーム部（３）が延びる方向と反対側に握り部（１７）が接続しており、
前記作用部（４）の先端を刳り貫き対象物に押し付けて使用する草取り具。
【請求項３】
請求項１に記載の刳り貫き器具（１）であって、
前記砕き部（１３）は、前記当接部（１０）の一部が、前記掬い部（９）が狭くなるよう前記掬い部（９）の中心に向かって傾いている
ことを特徴とする刳り貫き器具。
【請求項４】
請求項１に記載の刳り貫き器具（１）であって、
前記砕き部（１３）は、前記当接部（１０）の一部であって前記アーム部側の端部が、前記掬い部（９）とは反対側に折れ曲がっている
ことを特徴とする刳り貫き器具。
【請求項５】
請求項１に記載の刳り貫き器具（１）であって、
前記砕き部（１３）は、複数の前記当接部（１０）のいずれか一つに、他の前記当接部（１０）に当接する方向に突出部（１４）を備えた
ことを特徴とする刳り貫き器具。
【請求項６】
請求項１に記載の刳り貫き器具（１）であって、
前記砕き部（１３）は、複数の前記当接部（１０）のいずれか一つに、切欠き部（１５）を備えた
ことを特徴とする刳り貫き器具。
【請求項７】
請求項１に記載の刳り貫き器具（１）であって、
複数の前記当接部（１０）は、前記砕き部（１３）として、いずれか一つに突出部（１４）、他のいずれか一つに切欠き部（１５）を備え、前記当接部（１０）が当接した際に、前記突出部（１４）と前記切欠き部（１５）が組み合わさる
ことを特徴とする刳り貫き器具。
【請求項８】
請求項１に記載の前記作用部（４）を有することを特徴とする芽取り具。
【請求項９】
請求項１に記載の前記作用部（４）を有することを特徴とする蔕取り具。
【請求項１０】
請求項１に記載の前記作用部（４）を有することを特徴とする草取り具。